【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
無線通信における信号処理のための方法であって、
信号を受信することと、ここで、前記受信された信号は、第１のセルからの第１のセル信号と、第２のセルからの第２のセル信号とを含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、ここで、前記判定することは、少なくとも、
前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとを含む、
前記決定された送信スキームに少なくとも部分的に基づいて、前記受信された信号を処理することと、
を備える方法。
【請求項２】
前記第１のセルは低電力セルであり、前記第２のセルは高電力セルである、請求項１に記載の方法。
【請求項３】
前記第１のセルはサービス提供セルであり、前記第２のセルは非サービス提供セルである、請求項１に記載の方法。
【請求項４】
前記受信された信号は、前記第１のセルからの物理ダウンリンク共有チャネル（ＰＤＳＣＨ）と、前記第２のセルからのＰＤＳＣＨとを備える、請求項１に記載の方法。
【請求項５】
前記受信された信号を処理することは、
前記決定された送信スキームに少なくとも部分的に基づいて、前記第２のセル信号による干渉を、前記受信された信号から除去することを備える、請求項１に記載の方法。
【請求項６】
無線通信における信号処理のための方法であって、
信号を受信することと、ここで、前記受信された信号は、第１のセルからの第１のセル信号と、第２のセルからの第２のセル信号とを含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、ここで、前記判定することは、少なくとも、
前記受信された信号の電力メトリックを計算することと、
前記計算された電力メトリックを用いて信号対雑音比（ＳＮＲ）メトリックを計算することと、
前記ＳＮＲメトリックがしきい値よりも大きいのであれば、前記送信スキームが前記ＵＥ−ＲＳベースの送信スキームを含んでいると判定することと、
前記ＳＮＲメトリックが前記しきい値以下であれば、前記送信スキームが前記ＣＲＳベースの送信スキームを含んでいると判定することとを含む、
前記決定された送信スキームに少なくとも部分的に基づいて、前記受信された信号を処理することと、
を備える方法。
【請求項７】
無線通信における信号処理のための方法であって、
信号を受信することと、ここで、前記受信された信号は、第１のセルからの第１のセル信号と、第２のセルからの第２のセル信号とを含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、ここで、前記判定することは、少なくとも、
前記受信された信号のデータ部分における共分散を少なくとも測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとを含む、
前記決定された送信スキームに少なくとも部分的に基づいて、前記受信された信号を処理することと、
を備える方法。
【請求項８】
無線通信における信号処理のための方法であって、
信号を受信することと、ここで、前記受信された信号は、第１のセルからの第１のセル信号と、第２のセルからの第２のセル信号と含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、ここで、前記判定することは、少なくとも、
前記受信された信号のデータ部分における共分散を少なくとも測定することにより、前記受信された信号に関連付けられたランクを検出することと、
前記ランクを用いて、電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを含んでいると判定することと、
前記ＳＮＲメトリックが前記しきい値以下であれば、前記送信スキームが前記ＣＲＳベースの送信スキームを含んでいると判定することとを含む、
前記決定された送信スキームに少なくとも部分的に基づいて、前記受信された信号を処理することと、
を備える方法。
【請求項９】
無線通信における信号処理のための方法であって、
信号を受信することと、ここで、前記受信された信号は、第１のセルからの第１のセル信号と、第２のセルからの第２のセル信号と含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、ここで、前記判定することは、少なくとも、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを含んでいると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを含んでいると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを備えていると判定することとを含む、
前記決定された送信スキームに少なくとも部分的に基づいて、前記受信された信号を処理することと、
を備える方法。
【請求項１０】
無線通信における信号処理のための方法であって、
信号を受信することと、ここで、前記受信された信号は、第１のセルからの第１のセル信号と、第２のセルからの第２のセル信号と含む、
前記第２のセル信号の送信スキームを決定することと、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することと、
前記受信された信号の送信ダイバーシティ・スキームを決定することと、ここで、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することは、少なくとも、
前記受信された信号のレート・マッチング・パターンを検出することと、
前記レート・マッチング・パターンと前記送信ダイバーシティ・スキームの様子に基づいて、前記送信スキームが前記ＵＥ−ＲＳベースの送信スキームを含んでいると判定することとを含む、
前記決定された送信スキームに少なくとも部分的に基づいて、前記受信された信号を処理することと、
を備える方法。
【請求項１１】
前記受信された信号のＵＥ−ＲＳトーンにおける変調オーダを決定することをさらに備え、前記送信スキームが、前記ＣＲＳベースの送信スキームを含んでいるか、または、ＵＥ−ＲＳベースの送信スキームを含んでいるかを判定することは、
前記変調オーダが直交フェーズ・シフト・キーイング（ＱＰＳＫ）でないのであれば、前記送信スキームが前記ＣＲＳベースの送信スキームを含んでいると判定することを含む、請求項１０に記載の方法。
【請求項１２】
前記受信された信号のＵＥ−ＲＳトーンにおけるデータ・シンボル電力を決定することをさらに備え、前記送信スキームが、前記ＣＲＳベースの送信スキームを含んでいるか、または、ＵＥ−ＲＳベースの送信スキームを含んでいるかを判定することは、
前記データ・シンボル電力が前記ＵＥ−ＲＳトーンをまたいで変化するのであれば、前記送信スキームは前記ＣＲＳベースの送信スキームを含んでいると判定することを含む、請求項１１に記載の方法。
【請求項１３】
前記受信された信号のデータ・トーンを決定することをさらに備え、前記送信スキームが前記ＣＲＳベースの送信スキームを含んでいるか、または、ＵＥ−ＲＳベースの送信スキームを含んでいるかを判定することは、
前記受信された信号のデータ・トーンにおける共分散を推定することと、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを含んでいると判定することとを含む、請求項１２に記載の方法。
【請求項１４】
前記第２のセルの物理ダウンリンク制御チャネル（ＰＤＣＣＨ）を決定することをさらに備え、前記送信スキームが前記ＣＲＳベースの送信スキームを含んでいるか、または、ＵＥ−ＲＳベースの送信スキームを含んでいるかを判定することは、
前記第２のセルのＰＤＣＣＨを復号することと、
前記第２のセルの前記復号されたＰＤＣＣＨに基づいて、前記送信スキームを決定することとを含む、請求項１３に記載の方法。
【請求項１５】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
少なくとも、
前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとによって、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記決定された送信スキームに少なくとも部分的に基づいて、前記受信された信号を処理するように構成された、
装置。
【請求項１６】
前記第１のセルは低電力セルであり、前記第２のセルは高電力セルである、請求項１５に記載の装置。
【請求項１７】
前記第１のセルはサービス提供セルであり、前記第２のセルは非サービス提供セルである、請求項１５に記載の装置。
【請求項１８】
前記受信された信号は、前記第１のセルからの物理ダウンリンク共有チャネル（ＰＤＳＣＨ）と、前記第２のセルからのＰＤＳＣＨとを備える、請求項１５に記載の装置。
【請求項１９】
前記受信された信号を処理するように構成された少なくとも１つのプロセッサは、
前記決定された送信スキームに少なくとも部分的に基づいて、前記第２のセル信号による干渉を、前記受信された信号から除去するように構成された、請求項１５に記載の装置。
【請求項２０】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
少なくとも、
前記受信された信号の電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを含んでいると判定することと、
前記ＳＮＲメトリックが前記しきい値以下であれば、前記送信スキームが前記ＣＲＳベースの送信スキームを含んでいると判定することとによって、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記決定された送信スキームに少なくとも部分的に基づいて、前記受信された信号を処理するように構成された、
装置。
【請求項２１】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
少なくとも、
前記受信された信号のデータ部分における共分散を少なくとも測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとによって、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記決定された送信スキームに少なくとも部分的に基づいて、前記受信された信号を処理するように構成された、
装置。
【請求項２２】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
少なくとも、
前記受信された信号のデータ部分における共分散を少なくとも測定することにより、前記受信された信号に関連付けられたランクを検出することと、
前記ランクを用いて、電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを含んでいると判定することと、
前記ＳＮＲメトリックが前記しきい値以下であれば、前記送信スキームが前記ＣＲＳベースの送信スキームを含んでいると判定することとによって、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記決定された送信スキームに少なくとも部分的に基づいて、前記受信された信号を処理するように構成された、
装置。
【請求項２３】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
少なくとも、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを含んでいると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを含んでいると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを含んでいると判定することにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記決定された送信スキームに少なくとも部分的に基づいて、前記受信された信号を処理するように構成された、
装置。
【請求項２４】
無線通信における信号処理装置であって、
メモリと、
前記メモリに接続された少なくとも１つのプロセッサとを備え、前記プロセッサは、
信号を受信し、ここで、前記受信された信号は、第１のセルからの第１のセル信号と、第２のセルからの第２のセル信号とを含む、
前記第２のセル信号の送信スキームを決定し、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定し、
前記受信された信号の送信ダイバーシティ・スキームを決定するように構成され、ここで、前記少なくとも１つのプロセッサはさらに、
前記受信された信号のレート・マッチング・パターンを検出し、
前記レート・マッチング・パターンと前記送信ダイバーシティ・スキームの様子に基づいて、前記送信スキームが前記ＵＥ−ＲＳベースの送信スキームを含んでいると判定し、
前記決定された送信スキームに少なくとも部分的に基づいて、前記受信された信号を処理するように構成された、
装置。
【請求項２５】
前記メモリに接続された前記少なくとも１つのプロセッサは、
前記受信された信号のＵＥ−ＲＳトーンにおける変調オーダを決定し、
前記変調オーダが直交フェーズ・シフト・キーイング（ＱＰＳＫ）でないのであれば、前記送信スキームが前記ＣＲＳベースの送信スキームを含んでいると判定するようにさらに構成された、請求項２４に記載の装置。
【請求項２６】
前記メモリに接続された前記少なくとも１つのプロセッサは、
前記受信された信号のＵＥ−ＲＳトーンのデータ・シンボル電力を決定し、
前記データ・シンボル電力が前記ＵＥ−ＲＳトーンをまたいで変化するのであれば、前記送信スキームは前記ＣＲＳベースの送信スキームを含んでいると判定するようにさらに構成された、請求項２５に記載の装置。
【請求項２７】
前記メモリに接続された前記少なくとも１つのプロセッサは、
前記受信された信号のデータ・トーンを決定し、
前記受信された信号のデータ・トーンにおける共分散を推定し、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを含んでいると判定するようにさらに構成された、請求項２６に記載の装置。
【請求項２８】
前記メモリに接続された前記少なくとも１つのプロセッサは、
前記第２のセルの物理ダウンリンク制御チャネル（ＰＤＣＣＨ）を決定し、
前記第２のセルのＰＤＣＣＨを復号し、
前記第２のセルの前記復号されたＰＤＣＣＨに基づいて、前記送信スキームを決定するようにさらに構成された、
請求項２７に記載の装置。
【請求項２９】
無線通信における信号処理装置であって、
信号を受信する手段と、ここで、前記受信された信号は、第１のセルからの第１のセル信号と、第２のセルからの第２のセル信号とを含む、
前記第２のセル信号の送信スキームを決定する手段と、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定する手段と、ここで、前記判定する手段は、
前記受信された信号の電力メトリックを計算し、
前記電力メトリックがしきい値よりも大きいのであれば、前記送信スキームが前記ＵＥ−ＲＳベースの送信スキームを含んでいると判定し、
前記電力メトリックが前記しきい値以下であれば、前記送信スキームが前記ＣＲＳベースの送信スキームを含んでいると判定するように構成され、
前記決定された送信スキームに少なくとも部分的に基づいて、前記受信された信号を処理する手段と、
を備える装置。
【請求項３０】
前記第１のセルは低電力セルであり、前記第２のセルは高電力セルである、請求項２９に記載の装置。
【請求項３１】
前記第１のセルはサービス提供セルであり、前記第２のセルは非サービス提供セルである、請求項２９に記載の装置。
【請求項３２】
前記受信された信号は、前記第１のセルからの物理ダウンリンク共有チャネル（ＰＤＳＣＨ）と、前記第２のセルからのＰＤＳＣＨとを備える、請求項２９に記載の装置。
【請求項３３】
前記受信された信号を処理する手段は、
前記決定された送信スキームに少なくとも部分的に基づいて、前記第２のセル信号による干渉を、前記受信された信号から除去するように構成された、請求項２９に記載の装置。
【請求項３４】
無線通信における信号処理装置であって、
信号を受信する手段と、ここで、前記受信された信号は、第１のセルからの第１のセル信号と、第２のセルからの第２のセル信号とを含む、
前記第２のセル信号の送信スキームを決定する手段と、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定する手段と、ここで、前記判定する手段は、少なくとも、
前記受信された信号の電力メトリックを計算し、
前記計算された電力メトリックを用いて、信号対雑音（ＳＮＲ）メトリックを計算し、
前記ＳＮＲメトリックがしきい値よりも大きいのであれば、前記送信スキームが前記ＵＥ−ＲＳベースの送信スキームを含んでいると判定し、
前記ＳＮＲメトリックが前記しきい値以下であれば、前記送信スキームが前記ＣＲＳベースの送信スキームを含んでいると判定するように構成され、
前記決定された送信スキームに少なくとも部分的に基づいて、前記受信された信号を処理する手段と、
を備える装置。
【請求項３５】
無線通信における信号処理装置であって、
信号を受信する手段と、ここで、前記受信された信号は、第１のセルからの第１のセル信号と、第２のセルからの第２のセル信号とを含む、
前記第２のセル信号の送信スキームを決定する手段と、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定する手段と、ここで、前記判定する手段は、少なくとも、
前記受信された信号のデータ部分における共分散を測定することにより、前記受信された信号に関連付けられたランクを検出し、
前記ランクを用いて、前記受信された信号の電力メトリックを計算し、
前記電力メトリックがしきい値よりも大きいのであれば、前記送信スキームが前記ＵＥ−ＲＳベースの送信スキームを含んでいると判定し、
前記電力メトリックが前記しきい値以下であれば、前記送信スキームが前記ＣＲＳベースの送信スキームを含んでいると判定するように構成され、
前記決定された送信スキームに少なくとも部分的に基づいて、前記受信された信号を処理する手段と、
を備える装置。
【請求項３６】
無線通信における信号処理装置であって、
信号を受信する手段と、ここで、前記受信された信号は、第１のセルからの第１のセル信号と、第２のセルからの第２のセル信号とを含む、
前記第２のセル信号の送信スキームを決定する手段と、
前記送信スキームが、共通基準信号（ＣＲＳ）ベースの送信スキームであるか、または、ユーザ機器基準信号（ＵＥ−ＲＳ）ベースの送信スキームであるかを判定する手段と、ここで、前記判定する手段は、少なくとも、
前記受信された信号のデータ部分における共分散を少なくとも測定することにより、前記受信された信号に関連付けられたランクを検出し、
前記ランクを用いて、電力メトリックを計算し、
前記計算された電力メトリックを用いて、信号対雑音（ＳＮＲ）メトリックを計算し、
前記ＳＮＲメトリックがしきい値よりも大きいのであれば、前記送信スキームが前記ＵＥ−ＲＳベースの送信スキームを含んでいると判定し、
前記ＳＮＲメトリックが前記しきい値以下であれば、前記送信スキームが前記ＣＲＳベースの送信スキームを含んでいると判定するように構成され、
前記決定された送信スキームに少なくとも部分的に基づいて、前記受信された信号を処理する手段と、
を備える装置。
【請求項３７】
無線通信における信号処理装置であって、
信号を受信する手段と、ここで、前記受信された信号は、第１のセルからの第１のセル信号と、第２のセルからの第２のセル信号と備える、
前記第２のセル信号の送信スキームを決定する手段と、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定する手段と、ここで、前記判定する手段は、少なくとも、
前記受信された信号のデータ・トーンで観察されたランクを検出し、
前記受信された信号のＵＥ−ＲＳトーンで観察されたランクを検出し、
ＣＲＳポートの数を決定し、
前記データ・トーンで観察されたランクが、前記ＣＲＳポートの数よりも大きいのであれば、前記送信スキームが前記ＵＥ−ＲＳベースの送信スキームを含んでいると判定し、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを含んでいると判定し、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを含んでいると判定するように構成され、
前記決定された送信スキームに少なくとも部分的に基づいて、前記受信された信号を処理する手段と、
を備える装置。
【請求項３８】
無線通信における信号処理装置であって、
信号を受信する手段と、ここで、前記受信された信号は、第１のセルからの第１のセル信号と、第２のセルからの第２のセル信号とを含む、
前記第２のセル信号の送信スキームを決定する手段と、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定する手段と、
前記受信された信号の送信ダイバーシティ・スキームを検出する手段とを備え、前記送信スキームが前記ＣＲＳベースの送信スキームか、または、ＵＥ−ＲＳベースの送信スキームを含んでいるかを判定する手段は、少なくとも、
前記受信された信号のレート・マッチング・パターンを検出し、
前記レート・マッチング・パターンと前記送信ダイバーシティ・スキームの様子に基づいて、前記送信スキームが前記ＵＥ−ＲＳベースの送信スキームを含んでいると判定するように構成され、
前記決定された送信スキームに少なくとも部分的に基づいて、前記受信された信号を処理する手段と、
を備える装置。
【請求項３９】
前記送信スキームが前記ＣＲＳベースの送信スキームを含んでいるか、または、ＵＥ−ＲＳベースの送信スキームを含んでいるかを判定する手段は、
前記受信された信号のＵＥ−ＲＳトーンにおける変調オーダを決定し、
前記変調オーダが直交フェーズ・シフト・キーイング（ＱＰＳＫ）でないのであれば、前記送信スキームが前記ＣＲＳベースの送信スキームを含んでいると判定するようにさらに構成された、請求項３８に記載の装置。
【請求項４０】
前記送信スキームが前記ＣＲＳベースの送信スキームを含んでいるか、または、ＵＥ−ＲＳベースの送信スキームを含んでいるかを判定する手段は、
前記受信された信号のＵＥ−ＲＳトーンのデータ・シンボル電力を決定し、
前記データ・シンボル電力が前記ＵＥ−ＲＳトーンをまたいで変化するのであれば、前記送信スキームは前記ＣＲＳベースの送信スキームを含んでいると判定するようにさらに構成された、請求項３９に記載の装置。
【請求項４１】
前記送信スキームが前記ＣＲＳベースの送信スキームを含んでいるか、または、ＵＥ−ＲＳベースの送信スキームを含んでいるかを判定する手段は、
前記受信された信号のデータ・トーンを決定し、
前記受信された信号のデータ・トーンにおける共分散を推定し、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを含んでいると判定するようにさらに構成された、請求項４０に記載の装置。
【請求項４２】
前記送信スキームが前記ＣＲＳベースの送信スキームを含んでいるか、または、ＵＥ−ＲＳベースの送信スキームを含んでいるかを判定する手段は、
前記第２のセルの物理ダウンリンク制御チャネル（ＰＤＣＣＨ）を決定し、
前記第２のセルのＰＤＣＣＨを復号し、
前記第２のセルの前記復号されたＰＤＣＣＨに基づいて、前記送信スキームを決定するようにさらに構成された、
請求項４１に記載の装置。
【請求項４３】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
少なくとも、
前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記決定された送信スキームに少なくとも部分的に基づいて、前記受信された信号を処理させるように実行可能なコードを含む非一時的なコンピュータ読取可能な媒体を備えるコンピュータ・プログラム製品。
【請求項４４】
前記受信された信号を処理することを装置に対してさせるように実行可能なコードはさらに、
前記決定された送信スキームに少なくとも部分的に基づいて、前記第２のセル信号による干渉を、前記受信された信号から除去することを装置に対してさせるように実行可能である、請求項４３に記載のコンピュータ・プログラム製品。
【請求項４５】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
少なくとも、
前記受信された信号の電力メトリックを計算することと、
前記計算された電力メトリックを用いて信号対雑音比（ＳＮＲ）メトリックを計算することと、
前記ＳＮＲメトリックがしきい値よりも大きいのであれば、前記送信スキームが前記ＵＥ−ＲＳベースの送信スキームを含んでいると決定することと、
前記ＳＮＲメトリックが前記しきい値以下であれば、前記送信スキームが前記ＣＲＳベースの送信スキームを含んでいると判定することとにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記決定された送信スキームに少なくとも部分的に基づいて、前記受信された信号を処理させるように実行可能なコードを含む非一時的なコンピュータ読取可能な媒体を備えるコンピュータ・プログラム製品。
【請求項４６】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
少なくとも、
前記受信された信号のデータ部分における共分散を少なくとも測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを含んでいると判定することと、
前記電力メトリックが前記しきい値以下であれば、前記送信スキームが前記ＣＲＳベースの送信スキームを含んでいると判定することとにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記決定された送信スキームに少なくとも部分的に基づいて、前記受信された信号を処理させるように実行可能なコードを含む非一時的なコンピュータ読取可能な媒体を備えるコンピュータ・プログラム製品。
【請求項４７】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
少なくとも、
前記受信された信号のデータ部分における共分散を少なくとも測定することにより、前記受信された信号に関連付けられたランクを検出することと、
前記ランクを用いて、前記受信された信号の電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを含んでいると判定することと、
前記ＳＮＲメトリックが前記しきい値以下であれば、前記送信スキームが前記ＣＲＳベースの送信スキームを含んでいると判定することとにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記決定された送信スキームに少なくとも部分的に基づいて、前記受信された信号を処理させるように実行可能なコードを含む非一時的なコンピュータ読取可能な媒体を備えるコンピュータ・プログラム製品。
【請求項４８】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
少なくとも、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを含んでいると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを含んでいると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを備えていると判定することにより、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記決定された送信スキームに少なくとも部分的に基づいて、前記受信された信号を処理させるように実行可能なコードを含む非一時的なコンピュータ読取可能な媒体を備えるコンピュータ・プログラム製品。
【請求項４９】
コンピュータ・プログラム製品であって、
装置に対して、
信号を受信させ、ここで、前記受信された信号は、第１のセルからの第１のセル信号と、第２のセルからの第２のセル信号と備える、
前記第２のセル信号の送信スキームを決定させ、
前記送信スキームが、共通基準信号（ＣＲＳ）ベースの送信スキームを含んでいるか、または、ユーザ機器基準信号（ＵＥ−ＲＳ）ベースの送信スキームを含んでいるかを判定させ、
前記受信された信号の送信ダイバーシティ・スキームを決定させ、ここで、前記送信スキームが、共通基準信号（ＣＲＳ）ベースの送信スキームを含んでいるか、または、ユーザ機器基準信号（ＵＥ−ＲＳ）ベースの送信スキームを含んでいるかを判定することは、少なくとも、
前記受信された信号のレート・マッチング・パターンを検出することと、
前記レート・マッチング・パターンと前記送信ダイバーシティ・スキームの様子に基づいて、前記送信スキームが前記ＵＥ−ＲＳベースの送信スキームを含んでいると判定することとを含む、
前記決定された送信スキームに少なくとも部分的に基づいて、前記受信された信号を処理させるように実行可能なコードを含む非一時的なコンピュータ読取可能な媒体を備えるコンピュータ・プログラム製品。
【手続補正２】
【補正対象書類名】明細書
【補正対象項目名】０１１６
【補正方法】変更
【補正の内容】
【０１１６】
前述した記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
以下に本願発明の当初の特許請求の範囲に記載された発明を付記する。
［Ｃ１］
無線通信における干渉を除去する方法であって、
信号を受信することと、ここで、前記受信された信号は、第１のセルからの第１のセル信号と、第２のセルからの第２のセル信号と備える、
前記第２のセル信号の送信スキームを検出することと、
前記送信スキームが、共通基準信号（ＣＲＳ）ベースの送信スキームであるか、または、ユーザ機器基準信号（ＵＥ−ＲＳ）ベースの送信スキームであるかを判定することと、
前記判定された送信スキームに少なくとも部分的に基づいて、前記第２のセル信号による干渉を、前記受信された信号から除去することと、
を備える方法。
［Ｃ２］
前記第１のセルは低電力セルであり、前記第２のセルは高電力セルである、Ｃ１に記載の方法。
［Ｃ３］
前記第１のセルはサービス提供セルであり、前記第２のセルは非サービス提供セルである、Ｃ１に記載の方法。
［Ｃ４］
前記受信された信号は、前記第１のセルからの物理ダウンリンク共有チャネル（ＰＤＳＣＨ）と、前記第２のセルからのＰＤＳＣＨとを備える、Ｃ１に記載の方法。
［Ｃ５］
前記判定することは、
前記受信された信号のメトリックを計算することと、
前記計算されたメトリックに基づいて、前記送信スキームを判定することとを備え、
前記メトリックは、ＵＥ−ＲＳトーンにおける前記受信された信号、許可された拡散シーケンスおよびスクランブリング・シーケンス、決定されたランク、または可能なランクの関数である、Ｃ１に記載の方法。
［Ｃ６］
前記計算されたメトリックは、前記受信された信号の電力メトリックであり、
前記判定することはさらに、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと
を備える、Ｃ５に記載の方法。
［Ｃ７］
前記計算されたメトリックは、前記受信された信号の電力メトリックであり、
前記判定することはさらに、
前記計算された電力メトリックを用いて信号対雑音比（ＳＮＲ）メトリックを計算することと、
前記ＳＮＲメトリックがしきい値よりも大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと
を備える、Ｃ５に記載の方法。
［Ｃ８］
前記判定することは、
前記メトリックを計算する前に、前記受信された信号のデータ・トーンを用いて、前記受信された信号に関連付けられた１または複数のランクを検出することと、
前記検出された１または複数のランクと前記計算されたメトリックとに基づいて、前記送信スキームを判定することと
を備える、Ｃ５に記載の方法。
［Ｃ９］
前記判定することはさらに、
前記受信された信号のデータ部分における共分散を測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと
を備える、Ｃ８に記載の方法。
［Ｃ１０］
前記判定することはさらに、
前記受信された信号のデータ部分における共分散を測定することにより、前記受信された信号に関連付けられたランクを検出することと、
前記ランクを用いて、電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと
を備える、Ｃ８に記載の方法。
［Ｃ１１］
前記判定することは、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを備えていると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを備えていると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを備えていると判定することと
を備える、Ｃ１に記載の方法。
［Ｃ１２］
前記判定することは、
前記信号が単一周波数ネットワーク（ＭＢＳＦＮ）サブフレームによるマルチメディア・ブロードキャストで受信されたか否か、前記受信された信号の送信ダイバーシティ・スキーム、前記受信された信号のＵＥ−ＲＳトーンにおける変調オーダ、前記受信された信号のＵＥ−ＲＳトーンのデータ・シンボル電力、前記受信された信号のデータ・トーン、または、前記第２のセルの物理ダウンリンク制御チャネル（ＰＤＣＣＨ）のうちの少なくとも１つを検出することと、
前記信号が、ＭＢＳＦＮサブフレームで受信されたものとして検出された場合、前記送信スキームが前記ＵＥ−ＲＳベースの送信スキームを備えていると判定することと
を備える、Ｃ１に記載の方法。
［Ｃ１３］
前記受信された信号の送信ダイバーシティ・スキームが検知された場合、前記判定することは、
前記受信された信号のレート・マッチング・パターンを検出することと、
前記レート・マッチング・パターンと前記送信ダイバーシティ・スキームの様子に基づいて、前記送信スキームが前記ＵＥ−ＲＳベースの送信スキームを備えていると判定することと
を備える、Ｃ１２に記載の方法。
［Ｃ１４］
前記受信された信号のＵＥ−ＲＳトーンにおいて変調オーダが検出された場合、前記判定することは、
前記変調オーダが直交フェーズ・シフト・キーイング（ＱＰＳＫ）ではないのであれば、前記送信スキームが前記ＣＲＳベースの送信スキームを備えていると判定すること
を備える、Ｃ１３に記載の方法。
［Ｃ１５］
前記受信された信号のＵＥ−ＲＳトーンにおいてデータ・シンボル電力が検出された場合、前記判定することは、
前記データ・シンボル電力が前記ＵＥ−ＲＳトーンをまたいで変化するのであれば、前記送信スキームは前記ＣＲＳベースの送信スキームを備えていると判定すること
を備える、Ｃ１４に記載の方法。
［Ｃ１６］
前記受信された信号のデータ・トーンが検出された場合、前記判定することは、
前記受信された信号のデータ・トーンにおける共分散を推定することと、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを備えていると判定することと
を備える、Ｃ１５に記載の方法。
［Ｃ１７］
前記第２のセルのＰＤＣＣＨが検出された場合、前記判定することは、
前記第２のセルのＰＤＣＣＨを復号することと、
前記第２のセルの前記復号されたＰＤＣＣＨに基づいて、前記送信スキームを判定することと
を備える、Ｃ１６に記載の方法。
［Ｃ１８］
無線通信における干渉を除去する装置であって、
信号を受信することと、ここで、前記受信された信号は、第１のセルからの第１のセル信号と、第２のセルからの第２のセル信号と備える、
前記第２のセル信号の送信スキームを検出することと、
前記送信スキームが、共通基準信号（ＣＲＳ）ベースの送信スキームであるか、または、ユーザ機器基準信号（ＵＥ−ＲＳ）ベースの送信スキームであるかを判定することと、
前記判定された送信スキームに少なくとも部分的に基づいて、前記第２のセル信号による干渉を、前記受信された信号から除去することと、
を実行するように構成された処理システム
を備える装置。
［Ｃ１９］
前記第１のセルは低電力セルであり、前記第２のセルは高電力セルである、Ｃ１８に記載の装置。
［Ｃ２０］
前記第１のセルはサービス提供セルであり、前記第２のセルは非サービス提供セルである、Ｃ１８に記載の装置。
［Ｃ２１］
前記受信された信号は、前記第１のセルからの物理ダウンリンク共有チャネル（ＰＤＳＣＨ）と、前記第２のセルからのＰＤＳＣＨとを備える、Ｃ１８に記載の装置。
［Ｃ２２］
前記処理システムはさらに、
前記受信された信号のメトリックを計算することと、
前記計算されたメトリックに基づいて前記送信スキームを判定することと、
を実行するように構成され、
前記メトリックは、ＵＥ−ＲＳトーンにおける前記受信された信号、許可された拡散シーケンスおよびスクランブリング・シーケンス、決定されたランク、または可能なランクの関数である、Ｃ１８に記載の装置。
［Ｃ２３］
前記計算されたメトリックは、前記受信された信号の電力メトリックであり、
前記処理システムはさらに、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと、
を実行するように構成された、Ｃ２２に記載の装置。
［Ｃ２４］
前記計算されたメトリックは、前記受信された信号の電力メトリックであり、
前記処理システムはさらに、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと、
を実行するように構成された、Ｃ２２に記載の装置。
［Ｃ２５］
前記処理システムはさらに、
前記メトリックを計算する前に、前記受信された信号のデータ・トーンを用いて、前記受信された信号に関連付けられた１または複数のランクを検出することと、
前記検出された１または複数のランクと前記計算されたメトリックとに基づいて、前記送信スキームを判定することと、
を実行するように構成された、Ｃ２２に記載の装置。
［Ｃ２６］
前記処理システムはさらに、
前記受信された信号のデータ部分における共分散を測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと、
を実行するように構成された、Ｃ２５に記載の装置。
［Ｃ２７］
前記処理システムはさらに、
前記受信された信号のデータ部分における共分散を測定することにより、前記受信された信号に関連付けられたランクを検出することと、
前記ランクを用いて、電力メトリックを計算することと、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと
を実行するように構成された、Ｃ２５に記載の装置。
［Ｃ２８］
前記処理システムはさらに、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを備えていると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを備えていると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを備えていると判定することと、
を実行するように構成された、Ｃ１８に記載の装置。
［Ｃ２９］
前記処理システムはさらに、
前記信号が単一周波数ネットワーク（ＭＢＳＦＮ）サブフレームによるマルチメディア・ブロードキャストで受信されたか否か、前記受信された信号の送信ダイバーシティ・スキーム、前記受信された信号のＵＥ−ＲＳトーンにおける変調オーダ、前記受信された信号のＵＥ−ＲＳトーンのデータ・シンボル電力、前記受信された信号のデータ・トーン、または、前記第２のセルの物理ダウンリンク制御チャネル（ＰＤＣＣＨ）のうちの少なくとも１つを検出することと、
前記信号が、ＭＢＳＦＮサブフレームで受信されたものとして検出された場合、前記送信スキームが前記ＵＥ−ＲＳベースの送信スキームを備えていると判定することと、
を実行するように構成された、Ｃ１８に記載の装置。
［Ｃ３０］
前記受信された信号の送信ダイバーシティ・スキームが検出された場合、前記処理システムはさらに、
前記受信された信号のレート・マッチング・パターンを検出することと、
前記レート・マッチング・パターンと前記送信ダイバーシティ・スキームの様子に基づいて、前記送信スキームが前記ＵＥ−ＲＳベースの送信スキームを備えていると判定することと、
を実行するように構成された、Ｃ２９に記載の装置。
［Ｃ３１］
前記受信された信号のＵＥ−ＲＳトーンにおいて変調オーダが検出された場合、前記処理システムはさらに、
前記変調オーダが直交フェーズ・シフト・キーイング（ＱＰＳＫ）ではないのであれば、前記送信スキームが前記ＣＲＳベースの送信スキームを備えていると判定することを実行するように構成された、Ｃ３０に記載の装置。
［Ｃ３２］
前記受信された信号のＵＥ−ＲＳトーンにおいてデータ・シンボル電力が検出された場合、前記処理システムはさらに、
前記データ・シンボル電力が前記ＵＥ−ＲＳトーンをまたいで変化するのであれば、前記送信スキームは前記ＣＲＳベースの送信スキームを備えていると判定することを実行するように構成された、Ｃ３１に記載の装置。
［Ｃ３３］
前記受信された信号のデータ・トーンが検出された場合、前記処理システムはさらに、
前記受信された信号のデータ・トーンにおける共分散を推定することと、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを備えていると判定することと、
を実行するように構成された、Ｃ３２に記載の装置。
［Ｃ３４］
前記第２のセルのＰＤＣＣＨが検出された場合、前記処理システムはさらに、
前記第２のセルのＰＤＣＣＨを復号することと、
前記第２のセルの前記復号されたＰＤＣＣＨに基づいて、前記送信スキームを判定することと、
を実行するように構成された、Ｃ３３に記載の装置。
［Ｃ３５］
無線通信における干渉を除去する装置であって、
信号を受信する手段と、ここで、前記受信された信号は、第１のセルからの第１のセル信号と、第２のセルからの第２のセル信号と備える、
前記第２のセル信号の送信スキームを検出する手段と、
前記送信スキームが、共通基準信号（ＣＲＳ）ベースの送信スキームであるか、または、ユーザ機器基準信号（ＵＥ−ＲＳ）ベースの送信スキームであるかを判定する手段と、
前記判定された送信スキームに少なくとも部分的に基づいて、前記第２のセル信号による干渉を、前記受信された信号から除去する手段と、
を備える装置。
［Ｃ３６］
前記第１のセルは低電力セルであり、前記第２のセルは高電力セルである、Ｃ３５に記載の装置。
［Ｃ３７］
前記第１のセルはサービス提供セルであり、前記第２のセルは非サービス提供セルである、Ｃ３５に記載の装置。
［Ｃ３８］
前記受信された信号は、前記第１のセルからの物理ダウンリンク共有チャネル（ＰＤＳＣＨ）と、前記第２のセルからのＰＤＳＣＨとを備える、Ｃ３５に記載の装置。
［Ｃ３９］
前記決定する手段は、
前記受信された信号のメトリックを計算することと、
前記計算されたメトリックに基づいて前記送信スキームを判定することと
を実行するように構成され、
前記メトリックは、ＵＥ−ＲＳトーンにおける前記受信された信号、許可された拡散シーケンスおよびスクランブリング・シーケンス、決定されたランク、または可能なランクの関数である、Ｃ３５に記載の装置。
［Ｃ４０］
前記計算されたメトリックは、前記受信された信号の電力メトリックであり、
前記判定する手段は、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと、
を実行するように構成された、Ｃ３９に記載の装置。
［Ｃ４１］
前記計算されたメトリックは、前記受信された信号の電力メトリックであり、
前記判定する手段は、
前記計算された電力メトリックを用いて、信号対雑音（ＳＮＲ）メトリックを計算することと、
前記ＳＮＲメトリックがしきい値よりも大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと、
を実行するように構成された、Ｃ３９に記載の装置。
［Ｃ４２］
前記判定する手段は、
前記メトリックを計算する前に、前記受信された信号のデータ・トーンを用いて、前記受信された信号に関連付けられた１または複数のランクを検出することと、
前記検出された１または複数のランクと前記計算されたメトリックとに基づいて、前記送信スキームを判定することと、
を実行するように構成された、Ｃ３９に記載の装置。
［Ｃ４３］
前記判定する手段はさらに、
前記受信された信号のデータ部分における共分散を測定することにより、前記受信された信号に関連付けられたランクを検出することと、
前記ランクを用いて、前記受信された信号の電力メトリックを計算することと、
前記電力メトリックがしきい値よりも大きいのであれば、前記送信スキームが前記ＵＥ−ＲＳベースの送信スキームを備えていると判定することと、
前記電力メトリックが前記しきい値以下であれば、前記送信スキームが前記ＣＲＳベースの送信スキームを備えていると判定することと、
を実行するように構成された、Ｃ４２に記載の装置。
［Ｃ４４］
前記判定する手段はさらに、
前記受信された信号のデータ部分における共分散を測定することにより、前記受信された信号に関連付けられたランクを検出することと、
前記ランクを用いて、電力メトリックを計算することと、
前記計算された電力メトリックを用いて、信号対雑音（ＳＮＲ）メトリックを計算することと、
前記ＳＮＲメトリックがしきい値より大きいのであれば、前記送信スキームが前記ＵＥ−ＲＳベースの送信スキームを備えていると判定することと、
前記ＳＮＲメトリックが前記しきい値以下であれば、前記送信スキームが前記ＣＲＳベースの送信スキームを備えていると判定することと、
を実行するように構成された、Ｃ４２に記載の装置。
［Ｃ４５］
前記判定する手段は、
前記受信された信号のデータ・トーンで観察されたランクを検出することと、
前記受信された信号のＵＥ−ＲＳトーンで観察されたランクを検出することと、
ＣＲＳポートの数を決定することと、
前記データ・トーンで観察されたランクが、前記ＣＲＳポートの数よりも大きいのであれば、前記送信スキームが前記ＵＥ−ＲＳベースの送信スキームを備えていると判定することと、
前記データ・トーンで観察されたランクが、前記ＣＲＳポートの数を超えず、ＣＲＳプリコーディングが前記データ・トーンで観察された共分散行列にならないのであれば、前記送信スキームが前記ＵＥ−ＲＳベースの送信スキームを備えていると判定することと、
前記データ・トーンで観察されたランクが２よりも大きく、前記ＵＥ−ＲＳトーンで観察されたランクが、前記データ・トーンで観察されたランクに等しくないのであれば、前記送信スキームが前記ＣＲＳベースの送信スキームを備えていると判定することと、
を実行するように構成された、Ｃ３５に記載の装置。
［Ｃ４６］
前記判定する手段は、
前記信号が単一周波数ネットワーク（ＭＢＳＦＮ）サブフレームによるマルチメディア・ブロードキャストで受信されたか否か、前記受信された信号の送信ダイバーシティ・スキーム、前記受信された信号のＵＥ−ＲＳトーンにおける変調オーダ、前記受信された信号のＵＥ−ＲＳトーンのデータ・シンボル電力、前記受信された信号のデータ・トーン、または、前記第２のセルの物理ダウンリンク制御チャネル（ＰＤＣＣＨ）のうちの少なくとも１つを検出することと、
前記信号が、ＭＢＳＦＮサブフレームで受信されたものとして検出された場合、前記送信スキームが前記ＵＥ−ＲＳベースの送信スキームを備えていると判定することと、
を実行するように構成された、Ｃ３５に記載の装置。
［Ｃ４７］
前記受信された信号の送信ダイバーシティが検出された場合、前記判定する手段は、
前記受信された信号のレート・マッチング・パターンを検出することと、
前記レート・マッチング・パターンと前記送信ダイバーシティ・スキームの様子に基づいて、前記送信スキームが前記ＵＥ−ＲＳベースの送信スキームを備えていると判定することと、
を実行するように構成された、Ｃ４６に記載の装置。
［Ｃ４８］
前記受信された信号のＵＥ−ＲＳトーンにおいて変調オーダが検出された場合、前記判定する手段は、
前記変調オーダが直交フェーズ・シフト・キーイング（ＱＰＳＫ）ではないのであれば、前記送信スキームが前記ＣＲＳベースの送信スキームを備えていると判定することを実行するように構成された、Ｃ４７に記載の装置。
［Ｃ４９］
前記受信された信号のＵＥ−ＲＳトーンにおいてデータ・シンボル電力が検出された場合、前記判定する手段は、
前記データ・シンボル電力が前記ＵＥ−ＲＳトーンをまたいで変化するのであれば、前記送信スキームは前記ＣＲＳベースの送信スキームを備えていると判定することを実行するように構成された、Ｃ４８に記載の装置。
［Ｃ５０］
前記受信された信号のデータ・トーンが検出された場合、前記判定する手段は、
前記受信された信号のデータ・トーンにおける共分散を推定することと、
前記推定された共分散が、ＣＲＳベースのチャネル・コードブックと、ＣＲＳベースのチャネルおよび送信ダイバーシティ・スキームと、ＣＲＳベースのチャネルおよびサイクリック遅延ダイバーシティ・スキームとのうちの少なくとも１つにも対応していないのであれば、前記送信スキームが前記ＵＥ−ＲＳベースの送信スキームを備えていると判定することと、
を実行するように構成された、Ｃ４９に記載の装置。
［Ｃ５１］
前記第２のセルのＰＤＣＣＨが検出された場合、前記判定する手段は、
前記第２のセルのＰＤＣＣＨを復号することと、
前記第２のセルの前記復号されたＰＤＣＣＨに基づいて、前記送信スキームを判定することと、
を実行するように構成された、Ｃ５０に記載の装置。
［Ｃ５２］
コンピュータ・プログラム製品であって、
信号を受信することと、ここで、前記受信された信号は、第１のセルからの第１のセル信号と、第２のセルからの第２のセル信号と備える、
前記第２のセル信号の送信スキームを検出することと、
前記送信スキームが、共通基準信号（ＣＲＳ）ベースの送信スキームであるか、または、ユーザ機器基準信号（ＵＥ−ＲＳ）ベースの送信スキームであるかを判定することと、
前記判定された送信スキームに少なくとも部分的に基づいて、前記第２のセル信号による干渉を、前記受信された信号から除去することと、
を装置に対してさせるように実行可能なコードを備えたコンピュータ読取可能な媒体、を備えるコンピュータ・プログラム製品。